(57)【要約】【課題】動画と静止画の撮影を可能とする電子カメラにおいて、明るく見やすい且つノイズのない好印象のインデックス画像を得ることができるようにする。【解決手段】録画開始ボタンの操作があると、動画撮影に先立って静止画撮影用の撮影条件を設定して静止画撮影を行い、得られた静止画データを圧縮して画素数を減少させた縮小画像であるインデックス画像データを生成する。そして、生成したインデックス画像データを動画撮影において得られた動画データに関連付けてメモリ・カード１２に記録する。これにより、動画から直接インデックス静止画を抽出する従来技術と比べて明るく見やすい且つノイズのない好印象のインデックス画像を得ることができる。【選択図】図１
2005072729.tif 000002
【特許請求の範囲】
【請求項１】
動画撮影の開始を指示する指示手段と、
前記指示手段により動画撮影の開始が指示されると静止画撮影用の撮影条件を設定して静止画撮影を行い、静止画撮影を行った後に動画撮影用の撮影条件を設定して動画撮影を行う撮影手段と、
前記撮影手段の静止画撮影及び動画撮影において得られた画像データを記録するためのデータ記録手段と、
前記撮影手段の静止画撮影において得られた静止画データと前記撮影手段の動画撮影において得られた動画データとを関連付けて前記データ記録手段に記録するデータ記録制御手段と、
を具備することを特徴とする電子カメラ。
【請求項２】
前記撮影手段の静止画撮影において得られた静止画データから画素数を減少させた縮小画像であるインデックス画像データを生成するインデックス画像データ生成手段を具備し、
前記データ記録制御手段は、前記インデックス画像データ生成手段で生成されたインデックス画像データと前記撮影手段の動画撮影において得られた動画データとを関連付けて前記データ記録手段に記録することを特徴とする請求項１に記載の電子カメラ。
【請求項３】
前記データ記録制御手段は、前記データ記録手段に前記撮影手段の動画撮影において得られた動画データを含む動画ファイルと前記インデックス画像データ生成手段にて生成されたインデックス画像データを含むインデックスファイルを生成するとともに、前記インデックスファイルを前記動画ファイルに関連付けて前記データ記録手段に記録することを特徴とする請求項２に記載の電子カメラ。
【請求項４】
前記データ記録制御手段は、前記データ記録手段に前記撮影手段の動画撮影において得られた動画データと前記インデックス画像データ生成手段にて生成されたインデックス画像データとを含む動画ファイルを生成し、この動画ファイルを前記データ記録手段に記録することを特徴とする請求項２に記載の電子カメラ。
【請求項５】
前記撮影手段は、静止画撮影時にはシャッタースピードを長くし且つ映像信号の増幅利得を下げ、動画撮影時にはシャッタースピードを短くし且つ映像信号の増幅利得を上げることを特徴とする請求項１から請求項４のいずれに記載の電子カメラ。
【請求項６】
前記撮影手段は、絞り、ズーム、色調度、強調度、ホワイトバランスを含む動画撮影と静止画撮影に共通する撮影条件については、静止画撮影から動画撮影に移行した祭に動画撮影条件として活用することを特徴とする請求項１から請求項５のいずれに記載の電子カメラ。
【請求項７】
前記指示手段は、静止画撮影の開始を指示する手段を含み、
前記撮影手段は、動画撮影用の撮影条件を設定して動画撮影を行っている期間中に前記指示手段により静止画撮影の開始が指示されると静止画撮影用の撮影条件を設定して静止画撮影を行う手段を含み、
前記データ記録制御手段は、動画撮影期間中に静止画撮影が行われた場合、前記撮影手段の動画撮影期間中における静止画撮影において得られた静止画データと前記撮影手段の動画撮影において得られた動画データとを関連付けて前記データ記録手段に記録することを特徴とする請求項１から請求項６のいずれに記載の電子カメラ。
【請求項８】
画像データを一時的に保持するためのデータ一時記録手段を具備し、
前記データ記録制御手段は、動画撮影開始に先立って行われた静止画撮影により得られた静止画データを前記データ一時記録手段に保持し、動画撮影に先立つ静止画撮影が終了して動画撮影に移行し、動画撮影期間中に静止画撮影が行われた場合、その静止画撮影によって得られた静止画データを前記データ一時記録手段に保持されている静止画データに上書きし、その後、動画撮影が終了するまでの間に繰り返し静止画撮影が行われた場合にはその都度前回の静止画データに上書きして保存することを特徴とする請求項７に記載の電子カメラ。
【請求項９】
画像データを一時的に保持するためのデータ一時記録手段を具備し、
前記データ記録制御手段は、前記データ一時記録手段に静止画データを保持するための領域を２つ設け、第１の記録領域には、動画撮影に先立って行われた静止画撮影による静止画データを保持し、第２の記録領域には、動画撮影期間中に行われた静止画撮影による静止画データを保持し、さらに動画撮影終了までの間に繰り返し静止画撮影が行われた場合にはその都度前回の静止画データに上書きして保持することを特徴とする請求項７に記載の電子カメラ。
【請求項１０】
前記データ一時記録手段の前記第１の記録領域と前記第２の記録領域の双方に記録された静止画データのうち一方を利用者が任意に選択できる選択手段を具備することを特徴とする請求項８に記載の電子カメラ。
【請求項１１】
動画撮影を開始する毎に静止画撮影用の撮影条件を設定して静止画撮影を行い、
静止画撮影を行った後には動画撮影用の撮影条件を設定して動画撮影を行い、
静止画撮影により得られた静止画データと動画撮影により得られた動画データとを関連付けて記録することを特徴とする画像撮影方法。
【請求項１２】
動画撮影指示入力がある毎に静止画撮影用の撮影条件を設定して静止画撮影を行う静止画撮影処理と、
静止画撮影が行われた後に動画撮影用の撮影条件を設定して動画撮影を行う動画撮影処理と、
静止画撮影によって得られた静止画データと動画撮影によって得られた動画データとを関連付けて記録媒体に記録するデータ記録処理と、を含み、
コンピュータに前記各処理を実行させることを特徴とする画像撮影プログラム。
【発明の詳細な説明】
【技術分野】
【０００１】
本発明は、動画撮影と静止画撮影を可能とする電子カメラ及び画像撮影方法に関する。
【背景技術】
【０００２】
従来、デジタルカメラやビデオカメラ等の電子カメラにおいては、静止画の撮影に加えて動画の撮影を可能としたものがある。また、この種の電子カメラには、動画における所定位置（先頭、中間、末尾）のフレーム画像や、ズーム操作があった位置のフレーム画像をその動画を示す代表画像（以下、インデックス静止画像という）として抽出し、抽出したインデックス静止画像をモニタ表示することによって、撮影した動画の内容を利用者に知らせる技術が提案されている（例えば、特許文献１参照）。
【特許文献１】特開平１０−２８２５０号公報（第７頁、第７図）
【発明の開示】
【発明が解決しようとする課題】
【０００３】
しかしながら、上述した従来の電子カメラにおいては、動画から直接インデックス静止画を抽出するようにしているが、動画撮影の場合は静止画撮影の場合と比べて露光時間が短いことから、動画から直接抽出した静止画は暗く黒っぽい画像になってしまい、印象の良い画像が得られないという問題がある。なお、静止画を撮影する際に映像信号増幅用の増幅器の増幅率を高めることで明るい静止画を得ることが可能である。しかしながら、映像信号増幅用の増幅器の増幅率を高めることでノイズも同時に増幅してしまうため、明るい静止画が得られるものの、画質が悪化することになる。
【０００４】
本発明は、かかる従来の課題に鑑みてなされたものであり、明るく見やすく且つノイズのない好印象の動画のインデックス画像を得ることができる電子カメラ及び画像撮影方法を提供することを目的とする。
【課題を解決するための手段】
【０００５】
前記課題を解決するために請求項１に係る発明の電子カメラは、動画撮影の開始を指示する指示手段と、前記指示手段により動画撮影の開始が指示されると静止画撮影用の撮影条件を設定して静止画撮影を行い、静止画撮影を行った後に動画撮影用の撮影条件を設定して動画撮影を行う撮影手段と、前記撮影手段の静止画撮影及び動画撮影において得られた画像データを記録するためのデータ記録手段と、前記撮影手段の静止画撮影において得られた静止画データと前記撮影手段の動画撮影において得られた動画データとを関連付けて前記データ記録手段に記録するデータ記録制御手段と、を具備することを特徴とする。
【０００６】
かかる構成によれば、動画撮影を開始する前に静止画撮影用の撮影条件を設定して静止画撮影し、これにより得られた静止画データを、静止画撮影後の動画撮影にて得られる動画データのインデックスとして、その動画データに関連付けて記録するので、動画から直接インデックス静止画を抽出する従来技術と比べて明るく見やすい且つノイズのない好印象のインデックス画像が得られる。
【０００７】
また、請求項２に係る発明の電子カメラは、請求項１に係る発明の電子カメラにおいて、前記撮影手段の静止画撮影において得られた静止画データから画素数を減少させた縮小画像であるインデックス画像データを生成するインデックス画像データ生成手段を具備し、前記データ記録制御手段は、前記インデックス画像データ生成手段で生成されたインデックス画像データと前記撮影手段の動画撮影において得られた動画データとを関連付けて前記データ記録手段に記録することを特徴とする。
【０００８】
かかる構成によれば、静止画データから画素数を減少させた縮小画像であるインデックス画像データを生成し、このインデックス画像データを静止画撮影後の動画撮影にて得られる動画データのインデックスとして使用するので、データ記録手段の効率の良い使用が可能となる。
【０００９】
また、請求項３に係る発明の電子カメラは、請求項２に係る発明の電子カメラにおいて、前記データ記録制御手段は、前記データ記録手段に前記撮影手段の動画撮影において得られた動画データを含む動画ファイルと前記インデックス画像データ生成手段にて生成されたインデックス画像データを含むインデックスファイルを生成するとともに、前記インデックスファイルを前記動画ファイルに関連付けて前記データ記録手段に記録することを特徴とする。
【００１０】
かかる構成によれば、動画データとインデックス画像データとを別々に記録するので、動画データとインデックス画像データそれぞれの管理が容易になる。また、動画ファイル中にインデックス画像を含める必要がなくなるので、動画ファイルのデータ量を削減できる。
【００１１】
また、請求項４に係る発明の電子カメラは、請求項２に係る発明の電子カメラにおいて、前記データ記録制御手段は、前記データ記録手段に前記撮影手段の動画撮影において得られた動画データと前記インデックス画像データ生成手段にて生成されたインデックス画像データとを含む動画ファイルを生成し、この動画ファイルを前記データ記録手段に記録することを特徴とする。
【００１２】
かかる構成によれば、インデックス画像データを動画ファイル中に埋め込むので、インデックス画像データと動画データの関連付けを行う必要がない分、管理が容易になる。
【００１３】
また、請求項５に係る発明の電子カメラは、請求項１から請求項４のいずれに係る発明の電子カメラにおいて、前記撮影手段は、静止画撮影時にはシャッタースピードを長くし且つ映像信号の増幅利得を下げ、動画撮影時にはシャッタースピードを短くし且つ映像信号の増幅利得を上げることを特徴とする。
【００１４】
かかる構成によれば、静止画と動画それぞれにおいて最適な撮影が可能となり、綺麗な画像を得ることができる。すなわち、動画撮影に先立って静止画撮影を行うようにしても、動画と静止画それぞれに見合ったシャッタースピード及び映像信号の増幅利得を調整するので、常に明るく見やすく且つノイズのない綺麗な画像が得られる。
【００１５】
また、請求項６に係る発明の電子カメラは、請求項１から請求項５のいずれに係る発明の電子カメラにおいて、前記撮影手段は、絞り、ズーム、色調度、強調度、ホワイトバランスを含む動画撮影と静止画撮影に共通する撮影条件については、静止画撮影から動画撮影に移行した祭に動画撮影条件として活用することを特徴とする。
【００１６】
かかる構成によれば、静止画撮影から動画撮影に移行した祭に、静止画撮影時に使用した撮影条件のうち、動画撮影と共通するものを引き継ぐようにしたので、動画撮影開始までの時間の短縮化が図れる。
【００１７】
また、請求項７に係る発明の電子カメラは、請求項１から請求項６のいずれに係る発明の電子カメラにおいて、前記指示手段は、静止画撮影の開始を指示する手段を含み、前記撮影手段は、動画撮影用の撮影条件を設定して動画撮影を行っている期間中に前記指示手段により静止画撮影の開始が指示されると静止画撮影用の撮影条件を設定して静止画撮影を行う手段を含み、前記データ記録制御手段は、動画撮影期間中に静止画撮影が行われた場合、前記撮影手段の動画撮影期間中における静止画撮影において得られた静止画データと前記撮影手段の動画撮影において得られた動画データとを関連付けて前記データ記録手段に記録することを特徴とする。
【００１８】
かかる構成によれば、動画撮影期間中に静止画撮影の開始が指示されると、静止画撮影用の撮影条件を設定して静止画撮影し、これにより得られた静止画データを動画撮影において得られた動画データと関連付けて記録するので、動画撮影期間中でも静止画撮影ができ、しかも静止画撮影用の撮影条件で静止画撮影を行うことから、明るく見やすい且つノイズのない好印象の静止画が得られる。なお、動画撮影から静止画撮影に移行する際に、動画撮影用の撮影条件で静止画撮影用の撮影条件と共通するものについてはそのまま活用するようにしても良い。
【００１９】
また、請求項８に係る発明の電子カメラは、請求項７に係る発明の電子カメラにおいて、画像データを一時的に保持するためのデータ一時記録手段を具備し、前記データ記録制御手段は、動画撮影開始に先立って行われた静止画撮影により得られた静止画データを前記データ一時記録手段に保持し、動画撮影に先立つ静止画撮影が終了して動画撮影に移行し、動画撮影期間中に静止画撮影が行われた場合、その静止画撮影によって得られた静止画データを前記データ一時記録手段に保持されている静止画データに上書きし、その後、動画撮影が終了するまでの間に繰り返し静止画撮影が行われた場合にはその都度前回の静止画データに上書きして保存することを特徴とする。
【００２０】
かかる構成によれば、動画撮影に先立って動画のインデックス用として静止画の撮影を行っても、動画撮影途中で静止画が撮影された場合に、その静止画が動画のインデックスとなるので、利用者の好みの映像をインデックス用として使用することができる。すなわち、利用者の好みに応じたインデックス画像を得ることができる。
【００２１】
また、請求項９に係る発明の電子カメラは、請求項７に係る発明の電子カメラにおいて、画像データを一時的に保持するためのデータ一時記録手段を具備し、前記データ記録制御手段は、前記データ一時記録手段に静止画データを保持するための領域を２つ設け、第１の記録領域には、動画撮影に先立って行われた静止画撮影による静止画データを保持し、第２の記録領域には、動画撮影期間中に行われた静止画撮影による静止画データを保持し、さらに動画撮影終了までの間に繰り返し静止画撮影が行われた場合にはその都度前回の静止画データに上書きして保持することを特徴とする。
【００２２】
かかる構成によれば、動画撮影に先立って撮影された静止画を保持しておくようにしたので、動画撮影期間中に静止画撮影が行われても、動画撮影に先立って撮影された静止画を動画のインデックス用として使用することが可能となる。また、その静止画を動画の再生時に先頭画像として利用することもできる。
【００２３】
また、請求項１０に係る発明の電子カメラは、請求項９に係る発明の電子カメラにおいて、前記データ一時記録手段の前記第１の記録領域と前記第２の記録領域の双方に記録された静止画データのうち一方を利用者が任意に選択できる選択手段を具備することを特徴とする。
【００２４】
かかる構成によれば、動画撮影に先立って撮影された静止画と、動画撮影期間中に撮影された静止画のうち、利用者が希望する方を動画のインデックス画像として選択することができる。
【００２５】
また、請求項１１に係る発明の画像撮影方法は、動画撮影を開始する毎に静止画撮影用の撮影条件を設定して静止画撮影を行い、静止画撮影を行った後には動画撮影用の撮影条件を設定して動画撮影を行い、静止画撮影により得られた静止画データと動画撮影により得られた動画データとを関連付けて記録することを特徴とする。
【００２６】
この方法によれば、動画撮影を開始する前に静止画撮影用の撮影条件を設定して静止画撮影し、これにより得られた静止画データを静止画撮影後の動画撮影にて得られる動画データのインデックスとして、その動画データと共に記録するので、動画から直接インデックス静止画を抽出する従来技術と比べて明るく見やすい且つノイズのない好印象のインデックス画像が得られる。
【００２７】
また、請求項１２に係る発明の画像撮影プログラムは、動画撮影指示入力がある毎に静止画撮影用の撮影条件を設定して静止画撮影を行う静止画撮影処理と、静止画撮影が行われた後に動画撮影用の撮影条件を設定して動画撮影を行う動画撮影処理と、静止画撮影によって得られた静止画データと動画撮影によって得られた動画データとを関連付けて記録媒体に記録するデータ記録処理と、を含み、コンピュータに前記各処理を実行させることを特徴とする。
【００２８】
このプログラムによれば、動画撮影を開始する前に静止画撮影用の撮影条件を設定して静止画撮影し、これにより得られた静止画データを静止画撮影後の動画撮影にて得られる動画のインデックスとして、その動画データと共に記録するので、動画から直接インデックス静止画を抽出する従来技術と比べて明るく見やすい且つノイズのない好印象のインデックス画像を得ることができる。
【発明の効果】
【００２９】
本発明は、動画撮影を開始する前に静止画撮影用の撮影条件を設定して静止画撮影し、これにより得られた静止画を動画撮影によって得られる動画のインデックスとしてその動画に関連付けて記録するので、動画から直接インデックス静止画を抽出する従来技術と比べて明るく見やすい且つノイズのない好印象のインデックス画像を得ることができる。
【発明を実施するための最良の形態】
【００３０】
以下、本発明の実施の形態について、図面を参照して詳細に説明する。
図１は、本発明の一実施の形態に係る電子カメラの概略構成を示すブロック図である。
本実施の形態に係る電子カメラ１は、通常の静止画撮影機能と動画撮影機能を備えるとともに、動画撮影中に静止画撮影が可能となっている。また、動画撮影機能には、動画撮影に先立って静止画撮影用の撮影条件を設定して静止画撮影し、これにより得られた静止画を動画のインデックスとして用いる機能を備えている。
【００３１】
図１において、本実施の形態に係る電子カメラ１は、ＣＣＤ(Charge Coupled Device)２と、ＤＳＰ(Digital Signal Processor)／ＣＰＵ(Central Processing Unit、データ記録制御手段、インデックス画像データ生成手段)３と、ＴＧ(Timing Generator)４と、ユニット回路５と、表示装置６と、キー入力部（指示手段）７と、音声処理部８と、アドレス・データバス９と、ＤＲＡＭ(Dynamic Random Access Memory、データ一時記録手段)１０と、内蔵フラッシュメモリ１１と、カードＩ／Ｆ(インターフェイス)１２と、メモリ・カード（データ記録手段）１３と、レンズ１４と、モータ駆動ブロック１５と、ストロボ部１６とを備えて構成される。なお、ＣＣＤ２、ＤＳＰ／ＣＰＵ３、ＴＧ４及びユニット回路５は撮影手段を構成する。
【００３２】
ＤＳＰ/ＣＰＵ３は、画像データの圧縮・伸張処理を含む各種のデジタル信号処理機能を有するとともに、電子カメラ１の各部を制御するワンチップマイコンである。特に、ＤＳＰ/ＣＰＵ３には、キー入力部７の録画開始ボタン／終了ボタン（後述する）の操作による動画撮影指示入力があると、動画撮影に先立って静止画撮影用の撮影条件（ＡＦ（オートフォーカス制御）、ＡＥ（自動露出制御）、シャッタースピード、絞り、ズーム、感度、色調度、強調色、コントラスト、ホワイトバランスなど）を設定し、さらに必要な場合にはストロボを使って静止画撮影を行い、静止画撮影終了後、動画撮影用の撮影条件に設定し直して動画撮影を開始する。
【００３３】
ここで、撮影条件の１つであるオートフォーカスは、静止画撮影時にはフォーカスレンズを可動範囲の端から端まで動かし、そのときのＣＣＤ（撮像素子）のコントラストを電気信号に変換し、その波形を解析して高周波成分が最も大きくなるレンズの位置にレンズを合わせてピント調整を行う。ピント調整が行われた後に静止画撮影が行われる。一方、動画撮影時のオートフォーカスは、動画撮影開始前の撮影待機状態で既にフォーカスレンズが合焦位置付近にあることから、一定のタイミング（時間変化、信号成分の変化等によるタイミング）でピント調整が行われる。すなわち、装置に電源を投入した際に静止画撮影と同様のフォーカス制御が行われて、ピント調整がされるので、動画撮影時には一定のタイミングでピントの微調整を行うだけである。
【００３４】
また、他の撮影条件であるシャッタースピードと感度は、静止画撮影時にはシャッタースピードを遅くすると共に感度を下げ、動画撮影時にはシャッタースピードを速くすると共に感度を上げる。なお、感度は、後述するゲイン調整アンプの利得を調整することで設定できる。
【００３５】
また、静止画撮影特有の撮影条件であるストロボ発光は、周囲の明るさ或いはスルー画像の輝度が所定の閾値を下回った場合、又は利用者が予めストロボ強制発光モードを設定していた場合に発光させる。これにより特に周囲が暗い場合は動画と比較して明るくノイズの少ない静止画が得られる。
【００３６】
また、動画撮影と静止画撮影とで共通する撮影条件即ち、絞り、ズーム、色調度、強調度、ホワイトバランスなどについては、静止画撮影から動画撮影に移行した際に動画撮影条件として引き継ぐようにしている。共通する撮影条件を静止画と動画とで共用することで動画撮影開始までの時間の短縮化が図れる。
【００３７】
ＤＳＰ／ＣＰＵ３には、ＣＣＤ２を駆動するＴＧ４が接続されており、このＴＧ４にはＣＣＤ２から出力される被写体の光学像に応じたアナログの撮像信号が入力されるユニット回路５が接続されている。ユニット回路５は、ＣＣＤ２から出力される撮像信号を相関二重信号サンプリングして保持するＣＤＳ（Correlated Double Sampling）回路、その撮像信号を増幅するゲイン調整アンプ（ＡＧＣ）、増幅後の撮像信号をデジタル信号に変換するＡ／Ｄ変換器（ＡＤ）から構成されており、ＣＣＤ２の出力信号はユニット回路５を経てデジタル信号としてＤＳＰ／ＣＰＵ３に送られる。
【００３８】
ＤＳＰ／ＣＰＵ３には、表示装置６、キー入力部７、音声処理部８が接続されるとともに、アドレス・データバス９を介してＤＲＡＭ１０、内蔵フラッシュメモリ１１、カードＩ／Ｆ１２がそれぞれ接続されており、カードＩ／Ｆ１２には、デジタルカメラ１の本体の図示しないスロットルに装着された着脱可能なメモリ・カード１３が接続される。メモリ・カード１３には、撮影された静止画や動画のデータが記録される。
【００３９】
表示装置６は、カラーＬＣＤとその駆動回路とを含み、撮影待機状態にあるときにはＣＣＤ２によって撮像された被写体画像をスルー画像として表示し、記録画像の再生時には保存メモリであるメモリ・カード１３から読み出され伸張された記録画像（静止画又は動画）を表示する。また、後述するマルチ再生モードでは、メモリ・カード１３に記録されている画像の一覧をサムネイル表示する。
【００４０】
キー入力部７はシャッターボタン、動画撮影に使用する録画開始／終了ボタン、記録画像の再生時に使用される画像選択キー、電源キー、ＭＥＮＵ（メニュー）キー等の複数の操作キーを含み、使用者によるキー操作に応じたキー入力信号をＤＳＰ／ＣＰＵ３へ出力する。
【００４１】
音声処理部８は、内蔵マイク、アンプ、Ａ／Ｄ変換器、内蔵スピーカ、Ｄ／Ａ変換器等を含み、音声付きの静止画又は動画の撮影時には、内蔵マイクに入力した音声をデジタル信号に変換してＤＳＰ／ＣＰＵ３へ送る。ＤＳＰ／ＣＰＵ３へ送られた音声データはＤＲＡＭ１０に順次蓄積され、最終的には、ＤＳＰ／ＣＰＵ３によって生成された画像データと共にメモリ・カード１３に記録される。また、音声処理部８は、音声付きの静止画又は動画の再生時には、各画像に付属する音声データに基づく音声を再生して内蔵スピーカから音声出力する。また、必要に応じて、内蔵スピーカにより各種の報知音を放音する。
【００４２】
ＤＲＡＭ１０は、ＣＣＤ２により撮像された後、デジタル化された被写体の画像データ等を一時記憶するバッファメモリであるとともに、ＤＳＰ／ＣＰＵ３のワーキングメモリとしても使用される。ＤＲＡＭ１０に一時記憶された画像データは、例えばシャッターボタンが押された静止画撮影時には、ＤＳＰ／ＣＰＵ３により圧縮・伸張処理を含む各種のデジタル信号処理が行われた後、最終的には、ＪＰＥＧ等の所定のフォーマット形式の画像ファイルとしてメモリ・カード１３に記録される。内蔵フラッシュメモリ１１には、ＤＳＰ／ＣＰＵ３による各部の制御に必要な制御プログラム、すなわちＡＦ（オートフォーカス制御）やＡＥ（自動露出制御）等を含む各種の制御に必要なプログラム及び各制御に必要なデータが記録されており、ＤＳＰ／ＣＰＵ３は前記プログラムに従い動作する。
【００４３】
レンズ１４は、図示せぬフォーカスレンズ及びズームレンズを備えている。モータ駆動ブロック１５は、レンズ１４のフォーカスレンズ、ズームレンズを光軸方向に移動させるフォーカスモータ及びズームモータ（共に図示略）と、ＤＳＰ／ＣＰＵ３から入力される制御信号に従ってフォーカスモータ及びズームモータをそれぞれ動かすモータドライバ（図示略）とを備えて構成される。ストロボ部１６は、ＤＳＰ／ＣＰＵ３から入力される制御信号に従ってストロボ発光させる。この場合、ＤＳＰ／ＣＰＵ３は、静止画撮影モード時において、図示せぬ光センサにより検出された輝度あるいはスルー画像の輝度が所定の閾値を下回った場合、又は利用者にて予めストロボ強制発光モードが設定されていた場合に、シャッタボタンが押されるタイミングで制御信号を出力する。これにより特に周囲が暗い場合は動画と比較して明るくノイズの少ない静止画が得られる。
【００４４】
次に、以上の構成からなる電子カメラ１における動作を説明する。
図２〜図４は、利用者がＭＥＮＵキーの操作によって所定の撮影モードを設定したときのＤＳＰ／ＣＰＵ３の処理手順を示すフローチャートである。
【００４５】
ＤＳＰ／ＣＰＵ３は、上記撮影モードが設定されると、ＣＣＤ２による撮像を開始して被写体のスルー画像を表示部６に表示させ（ステップＳＡ１）、録画開始ボタンの操作や、シャッターボタンの操作があるまでの間、スルー画像の表示処理を繰り返す（ステップＳＡ２とステップＳＡ３が共にＮＯ）。
【００４６】
そして、その間にシャッターボタンが押されると（ステップＳＡ２でＮＯ、ステップＳＡ３でＹＥＳ）、通常の静止画撮影モードに移行し、静止画撮影用の撮影条件を設定する。撮影条件としては、ＡＦ（オートフォーカス制御）、ＡＥ（自動露出制御）、シャッタースピード、絞り、ズーム、感度、色調度、強調色、コントラスト、ホワイトバランスなどがある。特に、静止画の撮影条件は、以下の点で、動画撮影の撮影条件と大きく異なる。静止画撮影においては、画質のよい画像を撮影するためである。ＡＦにおいては、フォーカスレンズを可動範囲のレンズ端からレンズ端まで動かし、そのときのＣＣＤ２のコントラストを電気信号に変換し、その波形を解釈して高周波成分の最も大きくなるレンズの位置にレンズを合わせる。これにより、ピントのあった画像を確実に撮影することが可能となる。また、シャッタースピードを遅くすることにより、ゲインを増幅する（感度を上げる）ことなく撮影を行うことができ、さらに、画質の低下を防ぐことも可能となる。
【００４７】
そしてこれらの静止画撮影の撮影条件を設定した後、必要な場合、すなわち図示せぬ光センサにより検出された輝度あるいはステップＳＡ１で取り込まれたスルー画像の輝度が所定の閾値を下回った場合、又は利用者が予めストロボ強制発光モードを設定していた場合にはストロボ発光を伴う静止画撮影処理を開始する（ステップＳＡ４）。係る処理が完了したら（ステップＳＡ５でＹＥＳ）、ここで取得した静止画データに基づきバッファメモリ（ＤＲＡＭ１０）上でインデックス画像のデータを作成する（ステップＳＡ６）。インデックス画像は、後述する再生モードでの再生画像の選択操作や、記録画像の確認操作に応じて表示部６に画面表示される画像であり、一般にサムネイル画像と呼ばれる画素数を減少させた縮小画像である。
【００４８】
しかる後、作成したインデックス画像を含むｊｐｅｇ形式等の静止画ファイルを生成して、それをメモリ・カード１３に記録する（ステップＳＡ７）。図５（ａ）は、ここで記録する静止画ファイル１０１を示した図である。静止画ファイル１０１は、静止画ファイル名１０１ａと、圧縮データであるインデックス画像データ１０１ｂと、圧縮データである静止画データ１０１ｃとから構成される。この静止画ファイル１０１をメモリ・カード１３に記録した後、ステップＳＡ１へ戻り、スルー画像を表示する。
【００４９】
また、スルー画像を表示している間に録音開始ボタンが押された場合（ステップＳＡ２でＹＥＳ）、動画撮影指示が入力されるが、直ぐには動画撮影処理に移行せず、これから撮影する動画のインデックス画像を生成するために静止画撮影処理を開始し、ステップＳＡ４での処理と同様に、静止画撮影用の撮影条件（ＡＦ（オートフォーカス制御）、ＡＥ（自動露出制御）、シャッタースピード、絞り、ズーム、感度、色調度、強調色、コントラスト、ホワイトバランスなど）を設定し、さらに必要な場合、すなわち図示せぬ光センサにより検出された輝度あるいはステップＳＡ１で取り込まれたスルー画像の輝度が所定の閾値を下回った場合、又は利用者が予めストロボ強制発光モードを設定していた場合にはストロボ発光を伴う静止画撮影処理を開始する（ステップＳＡ８）。この場合も、上述したように、ＡＦはレンズ端からレンズ端までフォーカスレンズを移動させてＡＦ処理を行い、動画撮影時よりもシャッタースピードを遅くし、また感度を下げる。次に、係る処理が完了したら（ステップＳＡ９でＹＥＳ）、ここで取得した静止画データを専用に保持しておくために、バッファメモリ（ＤＲＡＭ１０）に記録領域ＭＡを確保し、そこに一時的に保持する（ステップＳＡ１０）。
【００５０】
動画用のインデックスとなる静止画の撮影を行った後、動画撮影処理を開始し、動画撮影用の撮影条件（ＡＦ（オートフォーカス制御）、ＡＥ（自動露出制御）、シャッタースピード、絞り、ズーム、感度、色調度、強調色、コントラスト、ホワイトバランス、音声記録など）を設定する。この場合のＡＦは、静止画撮影のようにレンズ端からレンズ端までフォーカスレンズを動かすという動作はせずに、一定のタイミング（時間変化、信号成分の変化等によるタイミング）で行い、また、静止画撮影時よりもシャッタースピードを速くし、その代わり感度を上げる（ゲインを増幅させる）という動作が行われる。つまり、静止画撮影の場合は、撮影時間より画質を優先し、これとは反対に動画撮影の場合は、複数の画像を短時間に撮影しなければならないので、画質より撮影時間を優先させるのである。また、静止画撮影と共通する撮影条件即ち、絞り、ズーム、色調度、強調度、ホワイトバランスなどについては、静止画撮影時に設定された値をそのまま使用する。動画撮影用の撮影条件の設定後、動画撮影処理を開始する（図３のステップＳＡ１１）。
【００５１】
なお、動画撮影処理における動画フレームの撮影に際しては、ＣＣＤ２に比較的短い出力タイミングで１画面中の奇数ラインの画素信号のみを出力させ、その奇数ラインの画素データをバッファメモリ（ＤＲＡＭ１０）に取り込み、取り込んだ画像データを所定の画素数に間引く処理を行う。以後、シャッターボタンが押されたり、録画終了ボタンが押されるまでは動画記録処理を継続する（ステップＳＡ１２、ステップＳＡ１８が共にＮＯ）。
【００５２】
そして、上記の動画記録処理を行っている間にシャッターボタンが押された場合には（ステップＳＡ１２でＹＥＳ）、割込み処理による静止画撮影処理を開始し、以下に述べるステップＳＡ１６までの処理を実行する。まずシャッターボタンが押された時点で通常の動画記録処理を一時停止して、直前のフレーム画像を繰り返し使用する動画記録処理に切り替える（ステップＳＡ１３）。つまり後述する割り込みによる静止画撮影処理を行うまでの間、所定のフレームレートでバッファメモリ（ＤＲＡＭ１０）に蓄積すべきフレームデータを、撮像により得られるフレームデータから、シャッターボタンが押される直前に蓄積したフレームデータのコピーである代替フレームとする動画記録処理に切り替える。
【００５３】
そして、前述したステップＳＡ８〜ステップＳＡ１０と同様の静止画撮影処理を行い、取得した静止画データを保持する（ステップＳＡ１４〜ステップＳＡ１６）。この場合、取得した静止画データを専用に保持しておくために、バッファメモリ（ＤＲＡＭ１０）に記録領域ＭＢを確保し、そこで一時的に保持する。このときの静止画撮影も、静止画撮影用の撮影条件（フォーカスレンズをレンズ端からレンズ端まで動かすＡＦ処理、遅いシャッタースピード）で静止画撮影を行う。静止画撮影処理を行った後、通常の動画撮影処理を再開する（ステップＳＡ１７）。このときも動画撮影用の撮影条件に設定する。以後、動画撮影処理を継続する間に（ステップＳＡ１８でＮＯ）、シャッターボタンが押される毎にステップＳＡ１３〜ステップＳＡ１６の処理を繰り返し行い、その都度得られた静止画データを前回の静止画データに上書きする。つまり、記憶領域ＭＢに上書きする。
【００５４】
やがて、録画終了ボタンが押されたら（ステップＳＡ１８でＹＥＳ）、動画撮影処理を停止する（ステップＳＡ１９）。そして、バッファメモリの記録領域ＭＢに静止画データが保持されているかどうかを判定し（ステップＳＡ２０）、記録領域ＭＢに静止画データが保持されている場合は、当該静止画データに基づきバッファメモリ（ＤＲＡＭ１０）上でインデックス画像のデータを作成する（ステップＳＡ２１）。しかる後、バッファメモリ（ＤＲＡＭ１０）にインデックス画像用の記録領域ＭＣを確保し、そこにステップＳＡ２１で作成したインデックス画像を保持する（ステップＳＡ２２）。
【００５５】
一方、バッファメモリの記録領域ＭＢに静止画データが保持されていなかった場合は、バッファメモリの記録領域ＭＡに保持されている静止画データ即ち動画撮影に先立って撮影された静止画データに基づきバッファメモリ（ＤＲＡＭ１０）上でインデックス画像のデータを作成する（ステップＳＡ２３）。しかる後、作成したインデックス画像データを専用に保持しておくために、バッファメモリ（ＤＲＡＭ１０）に記録領域ＭＣを確保し、そこにステップＳＡ２３で作成したインデックス画像を保持する（ステップＳＡ２２）。
【００５６】
そして、バッファメモリの前述した記録領域ＭＣに保持されているインデックス画像、つまりステップＳＡ２２で保持しているインデックス画像を含むｍｏｔｉｏｎ−ｊｐｅｇ形式等の動画ファイルを生成して、それをメモリ・カード１３に記録し（ステップＳＡ２４）、動画撮影処理を完了する。
【００５７】
図５（ｂ）は、ここで記録する動画ファイル１０２を示した図である。動画ファイル１０２は、動画ファイル名１０２ａと、圧縮データであるインデックス画像データ１０２ｂと、圧縮データである動画データ１０２ｃとから構成される。そして、以上のように動画撮影処理が完了したら、ステップＳＡ１へ戻り、スルー画像を表示し、以後、前述した処理を繰り返す。
【００５８】
また、図６は、利用者がＭＥＮＵキーの操作によって所定のマルチ再生モードを設定したときのＤＳＰ／ＣＰＵ３の処理手順を示すフローチャートである。
【００５９】
ＤＳＰ／ＣＰＵ３は、マルチ再生モードが設定されると、メモリ・カード１３に記録されている画像を利用者に選択させるための選択画面Ｇ（図７）を表示部６の画面上に表示させる。すなわち、メモリ・カード１３に記録されている１つ又は複数の動画ファイル１０２からインデックス画像データ１０２ｂを読出し、それに基づくインデックス画像を所定のムービーマークと共に表示部６の画面上に表示させるとともに、メモリ・カード１３に記録されている１つ又は複数の静止画ファイル１０１からインデックス画像データ１０１ｂを読出し、それに基づくインデックス画像を所定のスチルマークと共に表示部６の画面上に表示させる（ステップＳＢ１）。
【００６０】
特に、図７はステップＳＢ１が実行されたときの表示部６における選択画面Ｇの一例を示す図であり、この図では、動画のインデックス画像ｍ１，ｍ２，ｍ３，・・・と静止画のインデックス画像ｓ１，ｓ２，ｓ３，・・・とを横４×縦３で配置したマルチ表示を行っている。なお、図中の[ムービー]が上述したムービーマークであり、[スチル]が上述したスチルマークであり、各インデックス画像の並び順は左上から右下に向かう撮影順（記録順）である。例えば、動画撮影中に静止画撮影が行われていなければ、インデックス画像ｍ１〜ｍ３は動画撮影開始に先立って静止画撮影された動画のインデックス画像である。また、動画撮影中に静止画撮影が行われた場合は、動画撮影開始に先立って静止画撮影された静止画はインデックスとして採用されず、動画撮影中に撮影された静止画の中で最後に撮影された静止画がインデックスとして採用される。いずれにしても、これらのインデックス画像ｍ１〜ｍ３は、動画撮影によって得られた動画から静止画を抽出する場合と比べて、明るく見やすい好印象の画像となる。
【００６１】
ＤＳＰ／ＣＰＵ３は、１画面に収まらない数の画像（動画、静止画）がメモリ・カード１３に記録されている場合には、選択画面Ｇの表示している間、利用者によるカーソル移動に応じてインデックス画像のスクロール表示等を行う。やがて利用者によりいずれかの画像が選択されると（図６のステップＳＢ２でＹＥＳ）、選択された動画又は静止画のファイルをメモリ・カード１３から読出し、動画データ又は静止画データをバッファメモリ上に展開し、それに基づく画像の再生を開始する（ステップＳＢ３）。その後、選択された画像の再生が終了したかどうかを判定し（ステップＳＢ４）、再生が終了していなければそれが終了するまでステップＳＢ４の判定を繰り返し行う。そして、再生が終了すると、利用者による再生画像の消去操作があるかどうかを判定し、再生画像の消去操作がなければその操作があるまでステップＳＢ５の判定を繰り返し、再生画像の消去操作があると（ステップＳＢ５でＹＥＳ）、１回の再生処理を終えてステップＳＢ１へ戻り、再び利用者に画像選択を行わせる。
【００６２】
画像選択操作とマルチ再生モード終了操作がない場合（ステップＳＢ２、ステップＳＢ６共にＮＯ）、ステップＳＢ１に戻る。画像選択操作がなくて、マルチ再生モード終了操作がある場合（ステップＳＢ２がＮＯ、ステップＳＢ６がＹＥＳ）は、マルチ再生モードを抜ける。なお、ステップＳＢ５では利用者による終了操作を待たずに、例えば静止画の場合には所定時間の経過とともに、また動画の場合には全ての動画フレームを表示した時点で、それぞれ自動的に再生を終了するようにしてもよい。
【００６３】
このように、本実施の形態に係る電子カメラ１によれば、録画開始ボタンの操作があると、動画撮影に先立って静止画撮影用の撮影条件を設定して静止画撮影を行い、得られた静止画データを圧縮して画素数を減少させた縮小画像であるインデックス画像データを生成し、生成したインデックス画像データを動画撮影において得られた動画データに関連付けてメモリ・カード１３に記録するので、動画から直接インデックス静止画を抽出する従来技術と比べて明るく見やすい且つノイズのない好印象のインデックス画像を得ることができる。
【００６４】
また、静止画撮影時にはシャッタースピードを長くし且つ映像信号の増幅利得を下げ、動画撮影時にはシャッタースピードを短くし且つ映像信号の増幅利得を上げるので、静止画と動画それぞれにおいて最適な撮影が可能となり、綺麗な画像を得ることができる。
【００６５】
また、動画撮影に先立って静止画を撮影するので、動画撮影中に静止画撮影が行われたか否かにかかわらず、常に綺麗なインデックス画像を作成することができる。
さらに、動画撮影に先立って、動画のインデックス用として静止画の撮影を行っても動画撮影途中で静止画が撮影された場合にその静止画を動画のインデックスとするので、利用者の好みの映像をインデックス用として使用することができる。
【００６６】
なお、本実施の形態では、静止画撮影を行って得られた静止画からインデックス画像データを生成し、それを動画ファイル１０２中に組み込んでメモリ・カード１３に記録するようにしたが、メモリ・カード１３上にインデックス画像データを含むインデックスファイル（図示略）を作成しておいて、そのインデックスファイルを動画ファイル１０２に関連付けて記録するようにしても良い。つまり、インデックス画像データ専用のファイル（インデックス画像データと静止画データを含む静止画ファイル１０１でもよい。）を用意し、そのファイルにインデックス画像データと、それに関連する動画データが記録された動画ファイル名と同じファイル名を記録するようにする。
【００６７】
また、本実施の形態では、動画撮影に先立って撮影した静止画データを保持する記録領域ＭＡと、動画撮影中に撮影した静止画データを保持する記録領域ＭＢの２つの記録領域を確保するようにしたが、１つの記録領域に静止画データを保持するようにしても良い。この場合には、静止画撮影が行なわれるたびに１つの記憶領域に保持されている静止画データが上書きされる。つまり、動画撮影に先立って撮影された静止画データを１つの記憶領域に保持しておき、動画撮影中に静止画が撮影された場合には、該記憶領域に上書きを行う。
【００６８】
また、動画撮影に先立って撮影された静止画撮影、動画撮影中に撮影された静止画撮影は、静止画撮影が終了したと同時に、直ぐに静止画ファイルを生成するようにしてもよい。
さらに、動画撮影中に撮影され作成された静止画ファイルがないと判断した場合には、動画撮影に先立って撮影され作成された静止画ファイルのインデックス画像を動画インデックス画像として使用するようにしてもよい。
【００６９】
また、本実施の形態では、動画撮影期間中に静止画撮影が行われた場合、その静止画撮影により得られた最後の静止画をインデックス画像として採用して、動画撮影に先立って撮影した静止画をインデックス画像として採用しないようにしたが、動画撮影に先立って撮影された静止画や動画撮影中の所定回数目に撮影された静止画をインデックス画像として、ユーザが任意に選択することができるようにしてもよい。また、静止画撮影が行われる度に静止画ファイルを作成した場合には、作成された静止画ファイルの中でユーザが動画のインデックス画像として使用したい静止画ファイルのインデックス画像を選択するようにしてもよい。これにより、ユーザの気に入った静止画ファイルのインデックス画像を動画のインデックス画像として使用することも可能となる。
【００７０】
また、本実施の形態では、動画撮影に先立って撮影した静止画データを保持しておいて、動画撮影終了後にインデックス画像データを生成するようにしたが、静止画撮影して静止画データが得られた時点でインデックス画像データを生成するようにしても良い。動画撮影中に撮影した静止画データについても同様の処理を行っても良い。
【００７１】
また、本実施の形態では、動画撮影前又は撮影中に撮影した静止画をインデックス画像としてのみ使用するようにしたが、動画の再生時には、動画開始に先立って撮影して得られた静止画データから生成したインデックス画像については動画の先頭画像として使用するようにしてもよいし、動画撮影期間中に撮影して得られた静止画データから生成したインデックス画像については、その撮影のタイミングに応じた位置の画像として使用するようにしてもよい。
さらに、このインデックス画像を動画データの中に組み込んで動画再生時に動画とともに再生するようにしてもよい。
【００７２】
また、本実施の形態では、動画撮影中に静止画撮影を行う手法として、動画撮影中に静止画撮影が指示された場合に動画撮影処理を一時中断して静止画撮影処理を実行する（割込み撮影を行う）ことにより同時撮影を可能にする手法を用いた場合について説明したが、動画撮影処理を中断することなく静止画撮影処理を並行して実行する手法を用いても良い。動画撮影処理と静止画撮影処理を並行して実行する手法の一例としては、動画撮影中に静止画撮影が指示された場合に指示タイミングのフレーム画像を動画中から抽出して静止画として記録することにより同時撮影を可能にするカメラや、静止画撮影用の撮像素子と動画撮影用の撮像素子とを別個に設けることにより同時撮影を可能にするカメラが考えられる。
【００７３】
また、本実施の形態では、動画撮影開始時に静止画撮影を行うことからその分動画撮影開始が若干遅くなるが、２つのＣＣＤ（撮像素子）を備えているカメラ（所謂ツインカメラ）に本発明を適用すれば、動画撮影開始時に一方のＣＣＤで静止画撮影を行うことで動画撮影の開始の遅れを解消できる。本発明はこのようなツインカメラを持つカメラへの適用が特に有効であると言える。
【００７４】
また、本実施の形態では、本発明をデジタルカメラやビデオカメラ等の電子カメラに適用した場合について説明したが、カメラ付き携帯電話機やカメラ付きＰＤＡ(Personal Digital Assistant)に適用してもよく、要は動画撮影機能と静止画撮影機能を備えた機器であれば本発明を適用することができる。
【産業上の利用可能性】
【００７５】
本発明は、デジタルカメラやビデオカメラ等の電子カメラに適用が可能である。
【図面の簡単な説明】
【００７６】
【図１】電子カメラの概略構成を示すブロック図である。
【図２】電子カメラの撮影モードでの動作を示すフローチャートである。
【図３】電子カメラの撮影モードでの動作を示すフローチャートである。
【図４】電子カメラの撮影モードでの動作を示すフローチャートである。
【図５】撮影モードで記録される静止画ファイル（ａ）と、動画ファイル（ｂ）のデータ構造を示す模式図である。
【図６】電子カメラのマルチ再生モードでの動作を示すフローチャートである。
【図７】マルチモードが設定されたときの表示部で表示する選択画面の一例を示す図である。
【符号の説明】
【００７７】
１        電子カメラ
２        ＣＣＤ
３        ＤＳＰ／ＣＰＵ
４        ＴＧ
５        ユニット回路
６        表示装置
７        キー入力部
８        音声処理部
９        アドレス・データバス
１０      ＤＲＡＭ
１１      内蔵フラッシュメモリ
１２      カードＩ／Ｆ
１３      メモリ・カード
１４  レンズ
１５  モータ駆動ブロック
１６  ストロボ部
１０２    動画ファイル
１０２ｂ  インデックス画像データ
１０２ｃ  動画データ
【図１】
2005072729.tif 000003
【図２】
2005072729.tif 000004
【図３】
2005072729.tif 000005
【図４】
2005072729.tif 000006
【図５】
2005072729.tif 000007
【図６】
2005072729.tif 000008
【図７】
2005072729.tif 000009